【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】  抱き合わせ販売マーケティング・キャンペーンをコンピュータにより最適化するための方法であって、
有望顧客リストの統計的に重要なサンプルから複数の顧客を選択するステップと、
特定の顧客が特定の販売促進に応答する確率をそれぞれ示す複数の応答確率を計算するステップと、
特定の顧客が特定の販売促進に応答した結果の収益性をそれぞれ示す複数の収益性を計算するステップと、
所望の期待効用でマーケティング・キャンペーンを選択することに関する非線形最適化問題を用いるステップであって、該非線形最適化問題は少なくとも応答確率のうちの幾つかと少なくとも収益性の幾つかを考慮して行われるステップと、
少なくとも一部を所望の期待効用によりマーケティング・キャンペーンを予め定められた許容差内で顧客のサンプルの、前記非線形最適化問題を反復して解決して選択するステップであって、選択されたマーケティング・キャンペーンはどの顧客がどの販売促進を受け取ったかを明らかにするステップとを含む方法。
【請求項２】  請求項１に記載の抱き合わせ販売マーケティング・キャンペーンをコンピュータにより最適化するための方法において、前記所望の期待効用によりマーケティング・キャンペーンを選択するステップは、他のマーケティング・キャンペーンよりも高い正味現在価値を有するようにされる方法。
【請求項３】  請求項１に記載の抱き合わせ販売マーケティング・キャンペーンをコンピュータにより最適化するための方法において、前記非線形最適化問題は更に、選択された販売マーケティング・キャンペーンが、少なくとも一つの制約条件を満足する所望の期待効用を有するキャンペーンであるようにどの顧客がどんな販売促進を受けるかを規定する制約条件を少なくとも一つ考慮する方法。
【請求項４】  請求項１に記載の抱き合わせ販売マーケティング・キャンペーンをコンピュータにより最適化するための方法において、前記非線形最適化問題は更に、キャンペーンが少なくとも一つのビジネス目標を満足する所望の期待効用を有するキャンペーンであるようにどの顧客がどんな販売促進を受けるかを規定する少なくとも一つのビジネス目標を考慮する方法。
【請求項５】  請求項３に記載の抱き合わせ販売マーケティング・キャンペーンをコンピュータにより最適化するための方法において、前記非線形最適化問題は更に、キャンペーンが、少なくとも一つの制約条件を満足することに加えて、少なくとも一つのビジネス目標を満足する所望の期待効用を有するキャンペーンであるようにどの顧客がどんな販売促進を受けるかを規定する少なくとも一つのビジネス目標を考慮する方法。
【請求項６】  請求項１に記載の抱き合わせ販売マーケティング・キャンペーンをコンピュータにより最適化するための方法において、前記非線形最適化問題の少なくとも一部分は数学的に等価な線形最適化問題から由来する方法。
【請求項７】  請求項３に記載の抱き合わせ販売マーケティング・キャンペーンをコンピュータにより最適化するための方法において、少なくとも一つの制約条件は少なくとも一つの不等式で表現される方法。
【請求項８】  請求項４に記載の抱き合わせ販売マーケティング・キャンペーンをコンピュータにより最適化するための方法において、少なくとも一つのビジネス目標は少なくとも一つの不等式で表現される方法。
【請求項９】  請求項１に記載の抱き合わせ販売マーケティング・キャンペーンをコンピュータにより最適化するための方法において、所望の期待効用でマーケティング・キャンペーンを選択することは更に、どの顧客がどの販売促進を受けたかを規定する複数の勧誘値を発生する方法。
【請求項１０】  統計的に重要な顧客のサンプルに関連する顧客データと、特定の顧客が特定の販売促進に応答するであろう複数の確率を示す応答確率データと、複数の顧客の各々の、特定の販売促進に応答した特定の顧客からの収益性を示す収益性データと、を含むデータの少なくとも一つのコレクションを含む少なくとも一つのデータのリポジトリと、
所望の期待効用でマーケティング・キャンペーンを選択することに関する非線形最適化問題を用いる最適化コンポーネントであって、該非線形最適化問題は少なくとも応答確率のうちの幾つかと少なくとも収益性の幾つかを考慮して行われる最適化コンポーネントと、
少なくとも一部を所望の期待効用によりマーケティング・キャンペーンを予め定められた許容差内で顧客のサンプルの、前記非線形最適化問題を反復して解決して選択するために用いる選択コンポーネントであって、選択されたマーケティング・キャンペーンはどの顧客がどの販売促進を受け取ったかを明らかにする選択コンポーネントとを含むキャンペーン最適化システム。
【請求項１１】  請求項１０に記載のキャンペーン最適化システムにおいて、前記少なくとも一つのデータのリポジトリは少なくとも一つのデータベースを含むシステム。
【請求項１２】  請求項１０に記載のキャンペーン最適化システムにおいて、前記少なくとも一つのデータのリポジトリはコンピュータにより読み取り可能なメモリに貯蔵されるシステム。
【請求項１３】  請求項１０に記載のキャンペーン最適化システムにおいて、前記選択コンポーネントは、他のマーケティング・キャンペーンよりも高い正味現在価値を有するマーケティング・キャンペーンを選択することにより、所望の期待効用でマーケティング・キャンペーンを選択するシステム。
【請求項１４】  請求項１０に記載のキャンペーン最適化システムにおいて、前記最適化コンポーネントによって用いられる非線形最適化問題は更に、選択された販売マーケティング・キャンペーンが、少なくとも一つの制約条件を満足する所望の期待効用を有するキャンペーンであるようにどの顧客がどんな販売促進を受けるかを規定する制約条件を少なくとも一つ考慮するシステム。
【請求項１５】  請求項１０に記載のキャンペーン最適化システムにおいて、前記最適化コンポーネントによって用いられる非線形最適化問題は更に、キャンペーンが少なくとも一つのビジネス目標を満足する所望の期待効用を有するキャンペーンであるようにどの顧客がどんな販売促進を受けるかを規定する少なくとも一つのビジネス目標を考慮するシステム。
【請求項１６】  請求項１４に記載のキャンペーン最適化システムにおいて、前記最適化コンポーネントによって用いられる非線形最適化問題は更に、キャンペーンが、少なくとも一つの制約条件を満足することに加えて、少なくとも一つのビジネス目標を満足する所望の期待効用を有するキャンペーンであるようにどの顧客がどんな販売促進を受けるかを規定する少なくとも一つのビジネス目標を考慮するシステム。
【請求項１７】  請求項１０に記載のキャンペーン最適化システムにおいて、前記最適化コンポーネントは、前記非線形最適化問題の少なくとも一部分を数学的に等価な線形最適化問題から得るシステム。
【請求項１８】  請求項１４に記載のキャンペーン最適化システムにおいて、少なくとも一つの制約条件は少なくとも一つのデータ・リポジトリ内に格納され、且つ少なくとも一つの不等式で表現されるシステム。
【請求項１９】  請求項１５に記載のキャンペーン最適化システムにおいて、少なくとも一つのビジネス目標は少なくとも一つのデータ・リポジトリ内に格納され、且つ少なくとも一つの不等式で表現されるシステム。
【請求項２０】  請求項１０に記載のキャンペーン最適化システムにおいて、前記選択コンポーネントは、少なくとも一つのデータ・リポジトリ内に格納され、且つ、どの顧客がどの販売促進を受けたかを規定する複数の勧誘値を発生するように構成されているシステム。